(57)【特許請求の範囲】
【請求項１】
各登録番号のそれぞれに少なくとも相手先ファックス番号を予め対応付けて登録した登録ダイヤル登録テーブルを備え、テンキーにより相手先番号が直接入力された場合は、その入力された相手先番号を宛先番号とし、特定の登録番号が指定された場合は、その指定された登録番号に前記登録ダイヤル登録テーブルにおいて対応する相手先ファックス番号を宛先番号として、その宛先番号に発呼して応答した相手装置との間で通信を行うファクシミリ装置において、
テンキーにより相手先番号が直接入力された場合は、当該相手先番号を前記登録ダイヤル登録テーブルと照合し、一致する相手先ファックス番号が登録されていない新規の宛先番号であるか否かを判定する新規宛先判定手段と、前記テンキーにより直接入力された相手先番号が、前記新規宛先判定手段により新規の宛先番号であると判定された場合は、再発呼回数を所定の標準再発呼回数よりも少ない制限再発呼回数に設定する一方、新規のものではないと判定された場合は、再発呼回数を前記標準再発呼回数に設定する再発呼回数設定手段と、宛先番号に最初に発呼して行った通信が成功しなかった場合は、前記再発呼回数設定手段により設定された再発呼回数を限度として通信が成功するまで当該宛先番号に再発呼して通信を試みる通信制御手段とを備えたことを特徴とするファクシミリ装置。
【請求項２】
各登録番号のそれぞれに少なくとも相手先ファックス番号を予め対応付けて登録した登録ダイヤル登録テーブルを備え、テンキーにより相手先番号が直接入力された場合は、その入力された相手先番号を宛先番号とし、特定の登録番号が指定された場合は、その指定された登録番号に前記登録ダイヤル登録テーブルにおいて対応する相手先ファックス番号を宛先番号として、その宛先番号に発呼して応答した相手装置との間で通信を行うファクシミリ装置において、
マニュアルダイヤル登録テーブルと、テンキーにより相手先番号が直接入力された場合は、当該相手先番号を前記登録ダイヤル登録テーブル及び前記マニュアルダイヤル登録テーブルと照合し、一致する相手先ファックス番号が登録されていない新規の宛先番号であるか否かを判定する新規宛先判定手段と、前記テンキーにより直接入力された相手先番号が、前記新規宛先判定手段により新規の宛先番号であると判定された場合は、再発呼回数を所定の標準再発呼回数よりも少ない制限再発呼回数に設定する一方、新規のものではないと判定された場合は、再発呼回数を前記標準再発呼回数に設定する再発呼回数設定手段と、宛先番号に最初に発呼して行った通信が成功しなかった場合は、前記再発呼回数設定手段により設定された再発呼回数を限度として通信が成功するまで当該宛先番号に再発呼して通信を試みる通信制御手段と、前記テンキーにより直接入力され前記新規宛先判定手段により新規の宛先番号であると判定された宛先番号に最初に発呼して行われた通信が成功した場合、または、前記再発呼回数設定手段により設定された再発呼回数の範囲内の再発呼で通信が成功した場合は、当該宛先番号を、通信可能な相手先ファックス番号として前記マニュアルダイヤル登録テーブルに登録する通信可能宛先登録手段とを備えたことを特徴とするファクシミリ装置。
【請求項３】
各登録番号のそれぞれに少なくとも相手先ファックス番号を予め対応付けて登録した登録ダイヤル登録テーブルを備え、テンキーにより相手先番号が直接入力された場合は、その入力された相手先番号を宛先番号とし、特定の登録番号が指定された場合は、その指定された登録番号に前記登録ダイヤル登録テーブルにおいて対応する相手先ファックス番号を宛先番号として、その宛先番号に発呼して応答した相手装置との間で通信を行うファクシミリ装置において、
前記登録ダイヤル登録テーブルは、各登録番号のそれぞれに少なくとも、相手先ファックス番号に加えて相手先電話番号をもを予め対応付けて登録したものである一方、テンキーにより相手先番号が直接入力された場合に、当該相手先番号を前記登録ダイヤル登録テーブルと照合して、一致する相手先電話番号が登録されている場合は、当該一致する相手先電話番号に対応する相手先ファックス番号を宛先番号とする宛先修正手段と、テンキーにより相手先番号が直接入力された場合は、当該相手先番号を前記登録ダイヤル登録テーブルと照合し、一致する相手先ファックス番号または相手先電話番号が登録されていない新規の宛先番号であるか否かを判定する新規宛先判定手段と、前記テンキーにより直接入力された相手先番号が、前記新規宛先判定手段により新規の宛先番号であると判定された場合は、再発呼回数を所定の標準再発呼回数よりも少ない制限再発呼回数に設定する一方、新規のものではないと判定された場合は、再発呼回数を、前記標準再発呼回数に設定する再発呼回数設定手段と、宛先番号に最初に発呼して行った通信が成功しなかった場合は、前記再発呼回数設定手段により設定された再発呼回数を限度として通信が成功するまで当該宛先番号に再発呼して通信を試みる通信制御手段とを備えたことを特徴とするファクシミリ装置。
【請求項４】
各登録番号のそれぞれに少なくとも相手先ファックス番号を予め対応付けて登録した登録ダイヤル登録テーブルを備え、テンキーにより相手先番号が直接入力された場合は、その入力された相手先番号を宛先番号とし、特定の登録番号が指定された場合は、その指定された登録番号に前記登録ダイヤル登録テーブルにおいて対応する相手先ファックス番号を宛先番号として、その宛先番号に発呼して応答した相手装置との間で通信を行うファクシミリ装置において、
前記登録ダイヤル登録テーブルは、各登録番号のそれぞれに少なくとも、相手先ファックス番号に加えて相手先電話番号をもを予め対応付けて登録したものである一方、マニュアルダイヤル登録テーブルと、テンキーにより相手先番号が直接入力された場合に、当該相手先番号を前記登録ダイヤル登録テーブルと照合して、一致する相手先電話番号が登録されている場合は、当該一致する相手先電話番号に対応する相手先ファックス番号を宛先番号とする宛先修正手段と、テンキーにより相手先番号が直接入力された場合は、当該相手先番号を前記登録ダイヤル登録テーブル及び前記マニュアルダイヤル登録テーブルと照合し、一致する相手先ファックス番号または相手先電話番号が登録されていない新規の宛先番号であるか否かを判定する新規宛先判定手段と、前記テンキーにより直接入力された相手先番号が、前記新規宛先判定手段により新規の宛先番号であると判定された場合は、再発呼回数を所定の標準再発呼回数よりも少ない制限再発呼回数に設定する一方、新規のものではないと判定された場合は、再発呼回数を、前記標準再発呼回数に設定する再発呼回数設定手段と、宛先番号に最初に発呼して行った通信が成功しなかった場合は、前記再発呼回数設定手段により設定された再発呼回数を限度として通信が成功するまで当該宛先番号に再発呼して通信を試みる通信制御手段と、前記テンキーにより直接入力され前記新規宛先判定手段により新規の宛先番号であると判定された宛先番号に最初に発呼して行われた通信が成功した場合、または、前記再発呼回数設定手段により設定された再発呼回数の範囲内の再発呼で通信が成功した場合は、当該宛先番号を、通信可能な相手先ファックス番号として前記マニュアルダイヤル登録テーブルに登録する通信可能宛先登録手段とを備えたことを特徴とするファクシミリ装置。
【発明の詳細な説明】
【０００１】
【発明の属する技術分野】
本発明は、ファクシミリ装置に関し、特に、各登録番号のそれぞれに少なくとも相手先ファックス番号を予め対応付けて登録した登録ダイヤル登録テーブルを備え、テンキーにより相手先番号が直接入力された場合は、その入力された相手先番号を宛先番号とし、特定の登録番号が指定された場合は、その指定された登録番号に前記登録ダイヤル登録テーブルにおいて対応する相手先ファックス番号を宛先番号として、その宛先番号に発呼して応答した相手装置との間で通信を行うファクシミリ装置に関する。
【０００２】
【従来の技術】
ファクシミリ装置における通信は、送信元装置において、ユーザにより指定された宛先番号に回線を介して発呼することにより開始される。送信元装置が宛先番号に発呼すると、回線内の交換機が宛先番号に対応する加入者回線に対して呼び出し信号を送出し、宛先番号に対応する受信側装置が、回線からの呼び出し信号に対して応答（オフフック）することにより、送信元装置と送信先装置との間に回線が確立され、ファクシミリ通信が可能な状態となる。
【０００３】
このように、送信元のファクシミリ装置においてファクシミリ通信の相手となる送信先のファクシミリ装置を選択するためには、当該送信先のファクシミリ装置のファックス番号を正確に宛先番号として指定する必要がある。逆にいえば、所望の送信先装置のファックス番号とは違う番号を宛先番号として指定してしまうと、所望の送信先とは無関係な、電話器等の送信元のファクシミリ装置とは通信を行うことができない装置に接続されてしまうことになる。
【０００４】
ファクシミリ装置における宛先番号の指定は、テンキーによる直接入力により行うのが基本であるが、テンキーによる直接入力でしか宛先番号を指定できないのでは宛先指定操作が煩雑である。
【０００５】
そこで、ファクシミリ装置の多くは、いわゆるワンタッチダイヤル機能や短縮ダイヤル機能等の登録ダイヤル機能を備えている。つまり、比較的しばしば通信すると思われる通信相手先の加入者番号（相手先ファックス番号）や相手先名称と、特定のワンタッチキーの押下操作や、短縮キーの押下と特定の番号の入力操作の組み合わせ等の相手先指定操作に対応する登録番号（ワンタッチキー番号や短縮番号）とを予め対応付けて登録ダイヤル登録テーブルに登録しておき、通信時には、ワンタッチキーを１回押すだけで、あるいは、短縮キーの押下と桁数の少ない（例えば、２桁）番号の入力操作だけで登録番号を指定し、その指定された登録番号に対応する相手先ファックス番号を宛先番号として指定して発呼することができ、通信相手先の指定を簡便かつ正確に行なうことができる。また、指定された登録番号に対応する通信相手先名称をディスプレイに表示することで、ユーザが登録番号で指定した相手先が、当該ユーザが所望した相手先であるかを確認させることもできる。
【０００６】
そのように、登録ダイヤル機能は、確実かつ利便性の高い機能ではあるが、宛先番号の指定操作の全てが登録ダイヤル機能により行われるわけではない。
【０００７】
つまり、ワンタッチダイヤルにおいては、各ワンタッチキーに対応付けて登録いた相手先を特定するための文字列を対応するワンタッチキーの近傍に記入して、各ワンタッチキーに対応する相手先がわかるようにしているが、ワンタッチキーの配置スペースが広くはないために、記入できる文字列の長さには限りがあり、また、ワンタッチキーが繰り返し押下されることで、その近傍に記入された文字列が不鮮明になってしまって、所望の相手先に対応するワンタッチキーを識別できなくなる場合がある。
【０００８】
また、短縮ダイヤルにおいては、短縮番号、すなわち、短縮ダイヤルにおける登録番号のそれぞれに対応して登録した相手先のリスト（短縮ダイヤル登録リスト）を、ファクシミリ装置の近辺に掲示する等して、所望の相手先に対応する短縮番号を識別できるようにする必要があるが、掲示していた短縮ダイヤル登録リストを紛失してしまって、所望の相手先に対応するワンタッチキーを識別できなくなる場合がある。
【０００９】
そのように、ワンタッチダイヤルや短縮ダイヤルに登録済みの相手先であっても、対応する登録番号を特定できない場合には、宛先番号をテンキーにより直接入力しなければならない。
【００１０】
また、ワンタッチダイヤルや短縮ダイヤルに登録する必要がある程頻繁にはファクシミリ通信は行わないが、通信の必要が生じた通信相手先の宛先番号は、当然にテンキーにより直接入力しなければならない。
【００１１】
宛先番号のテンキーによる直接入力では、桁数の多い番号を１桁ずつ入力する必要があるため、ワンタッチダイヤルや短縮ダイヤルによる場合と比較して、入力ミスが発生しやすい。
【００１２】
そして、宛先番号のテンキーによる直接入力時に入力ミスが発生して、誤って指定された宛先番号に発呼した結果、応答（オフフック）した相手先装置が、ファクシミリ通信を行えない電話機であったという事態が発生する場合がある。テンキーにより直接相手先のファックス番号を入力する際には、相手先のユーザからもらった名刺に記されたファックス番号を参照しながら行うことがよくあるが、名刺には、ファックス番号と共に電話番号が併記されていることが多いため、相手先のファックス番号のつもりで相手時の電話番号を間違って入力してしまう形態の入力ミスが発生しがちである。
【００１３】
そのような相手先ファックス番号の入力ミスの結果、実際にテンキーにより入力された宛先番号が、どこかの電話機の対応する電話番号であった場合には、回線内の交換機から送出される呼び出し信号により当該電話機において呼び出し音が鳴り、ハンドセットをオフフックして人間が応答（オフフック）する。この時、送信元はファクシミリ装置であるため、ファクシミリ装置特有の信号が送出されることになる。具体的には、送信元のファクシミリ装置がＧ３ファクシミリである場合には発呼トーンＣＮＧ（１１００Ｈｚ）が送出される。
【００１４】
【発明が解決しようとする課題】
一方、相手先の電話機においては、ハンドセットから発呼トーンＣＮＧを聞くだけでどうすることも出来ず、ハンドセットをオンフックして回線を切断する以外に方法がない。しかし、この様な操作が相手先の電話機において行われても、送信元のファクシミリ装置においては、送信先装置により回線が切断されたとしか認識できず、送信先のファクシミリ装置に何らかの受信障害が発生して回線が切断された場合等と区別できない。
【００１５】
そのため、送信元のファクシミリ装置が、いわゆる再発呼機能を備え、最初の宛先番号への発呼で通信が失敗に終わった場合に、予め設定された再発呼回数を限度として、通信が成功するまで当該宛先番号に再発呼を繰り返した場合に問題が生じる。
【００１６】
すなわち、宛先番号が、ワンタッチダイヤルや短縮ダイヤルなどの登録ダイヤルにより確実に指定された相手先ファックス番号であれば、再発呼を繰り返しても、応答するのは確実にファクシミリ装置であるため、相手先のユーザに迷惑がかかることはなく、再発呼を繰り返すうちに相手先のファクシミリ装置が受信可能な状態に復帰すれば、ファクシミリ通信を失敗させないで済む利点がある一方、宛先番号がテンキーにより誤入力された相手先電話番号であれば、相手先が電話機であるために、通信が成功することがないため、必ず設定回数分の再発呼が繰り返され、相手先の電話機のユーザに繰り返し発呼トーンを聞かせてしまうという迷惑をかけてしまうばかりでなく、ファクシミリ通信を行えない相手先の電話機との間に繰り返し無駄な回線が確立されてしまって、無駄な通信費がかかってしまうという問題点があった。
【００１７】
本発明は係る事情に鑑みてなされたものであり、相手先ファックス番号が宛先番号として正しく指定された場合における再発呼を繰り返すことの利点を維持しつつ、相手先ファックス番号がテンキーにより直接入力される場合に生じがちな入力ミスに起因して相手先電話番号が誤って宛先番号として指定された場合における再発呼の繰り返しにより相手先に与える迷惑の度合いを低減することができるファクシミリ装置を提供することを目的とする。
【００１８】
【課題を解決するための手段】
上記目的を達成するため、請求項１記載のファクシミリ装置は、各登録番号のそれぞれに少なくとも相手先ファックス番号を予め対応付けて登録した登録ダイヤル登録テーブルを備え、テンキーにより相手先番号が直接入力された場合は、その入力された相手先番号を宛先番号とし、特定の登録番号が指定された場合は、その指定された登録番号に前記登録ダイヤル登録テーブルにおいて対応する相手先ファックス番号を宛先番号として、その宛先番号に発呼して応答した相手装置との間で通信を行うファクシミリ装置において、テンキーにより相手先番号が直接入力された場合は、当該相手先番号を前記登録ダイヤル登録テーブルと照合し、一致する相手先ファックス番号が登録されていない新規の宛先番号であるか否かを判定する新規宛先判定手段と、前記テンキーにより直接入力された相手先番号が、前記新規宛先判定手段により新規の宛先番号であると判定された場合は、再発呼回数を所定の標準再発呼回数よりも少ない制限再発呼回数に設定する一方、新規のものではないと判定された場合は、再発呼回数を前記標準再発呼回数に設定する再発呼回数設定手段と、宛先番号に最初に発呼して行った通信が成功しなかった場合は、前記再発呼回数設定手段により設定された再発呼回数を限度として通信が成功するまで当該宛先番号に再発呼して通信を試みる通信制御手段とを備えたことを特徴とする。
【００１９】
請求項２記載のファクシミリ装置は、各登録番号のそれぞれに少なくとも相手先ファックス番号を予め対応付けて登録した登録ダイヤル登録テーブルを備え、テンキーにより相手先番号が直接入力された場合は、その入力された相手先番号を宛先番号とし、特定の登録番号が指定された場合は、その指定された登録番号に前記登録ダイヤル登録テーブルにおいて対応する相手先ファックス番号を宛先番号として、その宛先番号に発呼して応答した相手装置との間で通信を行うファクシミリ装置において、マニュアルダイヤル登録テーブルと、テンキーにより相手先番号が直接入力された場合は、当該相手先番号を前記登録ダイヤル登録テーブル及び前記マニュアルダイヤル登録テーブルと照合し、一致する相手先ファックス番号が登録されていない新規の宛先番号であるか否かを判定する新規宛先判定手段と、前記テンキーにより直接入力された相手先番号が、前記新規宛先判定手段により新規の宛先番号であると判定された場合は、再発呼回数を所定の標準再発呼回数よりも少ない制限再発呼回数に設定する一方、新規のものではないと判定された場合は、再発呼回数を前記標準再発呼回数に設定する再発呼回数設定手段と、宛先番号に最初に発呼して行った通信が成功しなかった場合は、前記再発呼回数設定手段により設定された再発呼回数を限度として通信が成功するまで当該宛先番号に再発呼して通信を試みる通信制御手段と、前記テンキーにより直接入力され前記新規宛先判定手段により新規の宛先番号であると判定された宛先番号に最初に発呼して行われた通信が成功した場合、または、前記再発呼回数設定手段により設定された再発呼回数の範囲内の再発呼で通信が成功した場合は、当該宛先番号を、通信可能な相手先ファックス番号として前記マニュアルダイヤル登録テーブルに登録する通信可能宛先登録手段とを備えたことを特徴とする。
【００２０】
請求項３記載のファクシミリ装置は、各登録番号のそれぞれに少なくとも相手先ファックス番号を予め対応付けて登録した登録ダイヤル登録テーブルを備え、テンキーにより相手先番号が直接入力された場合は、その入力された相手先番号を宛先番号とし、特定の登録番号が指定された場合は、その指定された登録番号に前記登録ダイヤル登録テーブルにおいて対応する相手先ファックス番号を宛先番号として、その宛先番号に発呼して応答した相手装置との間で通信を行うファクシミリ装置において、前記登録ダイヤル登録テーブルは、各登録番号のそれぞれに少なくとも、相手先ファックス番号に加えて相手先電話番号をもを予め対応付けて登録したものである一方、テンキーにより相手先番号が直接入力された場合に、当該相手先番号を前記登録ダイヤル登録テーブルと照合して、一致する相手先電話番号が登録されている場合は、当該一致する相手先電話番号に対応する相手先ファックス番号を宛先番号とする宛先修正手段と、テンキーにより相手先番号が直接入力された場合は、当該相手先番号を前記登録ダイヤル登録テーブルと照合し、一致する相手先ファックス番号または相手先電話番号が登録されていない新規の宛先番号であるか否かを判定する新規宛先判定手段と、前記テンキーにより直接入力された相手先番号が、前記新規宛先判定手段により新規の宛先番号であると判定された場合は、再発呼回数を所定の標準再発呼回数よりも少ない制限再発呼回数に設定する一方、新規のものではないと判定された場合は、再発呼回数を、前記標準再発呼回数に設定する再発呼回数設定手段と、宛先番号に最初に発呼して行った通信が成功しなかった場合は、前記再発呼回数設定手段により設定された再発呼回数を限度として通信が成功するまで当該宛先番号に再発呼して通信を試みる通信制御手段とを備えたことを特徴とする。
【００２１】
請求項４記載のファクシミリ装置は、各登録番号のそれぞれに少なくとも相手先ファックス番号を予め対応付けて登録した登録ダイヤル登録テーブルを備え、テンキーにより相手先番号が直接入力された場合は、その入力された相手先番号を宛先番号とし、特定の登録番号が指定された場合は、その指定された登録番号に前記登録ダイヤル登録テーブルにおいて対応する相手先ファックス番号を宛先番号として、その宛先番号に発呼して応答した相手装置との間で通信を行うファクシミリ装置において、前記登録ダイヤル登録テーブルは、各登録番号のそれぞれに少なくとも、相手先ファックス番号に加えて相手先電話番号をもを予め対応付けて登録したものである一方、マニュアルダイヤル登録テーブルと、テンキーにより相手先番号が直接入力された場合に、当該相手先番号を前記登録ダイヤル登録テーブルと照合して、一致する相手先電話番号が登録されている場合は、当該一致する相手先電話番号に対応する相手先ファックス番号を宛先番号とする宛先修正手段と、テンキーにより相手先番号が直接入力された場合は、当該相手先番号を前記登録ダイヤル登録テーブル及び前記マニュアルダイヤル登録テーブルと照合し、一致する相手先ファックス番号または相手先電話番号が登録されていない新規の宛先番号であるか否かを判定する新規宛先判定手段と、前記テンキーにより直接入力された相手先番号が、前記新規宛先判定手段により新規の宛先番号であると判定された場合は、再発呼回数を所定の標準再発呼回数よりも少ない制限再発呼回数に設定する一方、新規のものではないと判定された場合は、再発呼回数を、前記標準再発呼回数に設定する再発呼回数設定手段と、宛先番号に最初に発呼して行った通信が成功しなかった場合は、前記再発呼回数設定手段により設定された再発呼回数を限度として通信が成功するまで当該宛先番号に再発呼して通信を試みる通信制御手段と、前記テンキーにより直接入力され前記新規宛先判定手段により新規の宛先番号であると判定された宛先番号に最初に発呼して行われた通信が成功した場合、または、前記再発呼回数設定手段により設定された再発呼回数の範囲内の再発呼で通信が成功した場合は、当該宛先番号を、通信可能な相手先ファックス番号として前記マニュアルダイヤル登録テーブルに登録する通信可能宛先登録手段とを備えたことを特徴とする。
【００２２】
【発明の実施の形態】
以下、添付図面を参照しながら、本発明の実施の形態を詳細に説明する。
【００２３】
先ず、図１は、本発明の実施の形態に係るファクシミリ装置１のブロック構成を示している。
【００２４】
同図において、ファクシミリ装置１は、システム制御部２、ＲＯＭ３、ＲＡＭ４、スキャナ５、プロッタ６、画像メモリ７、符号化復号化部８、操作表示部９、通信制御部１０、網制御部１１、及び、システムバス１２により構成されている。
【００２５】
システム制御部２は、ＲＯＭ３書き込まれた制御プログラムに従って、ＲＡＭ４を作業領域として使用しながら、装置各部を制御するマイクロコンピュータである。
【００２６】
ＲＯＭ３は、前述したように、システム制御部２が上記装置各部を制御するための制御プログラムが記憶されているリードオンリメモリである。また、ＲＯＭ３には、各文字コードにフォントデータを対応付けたフォントテーブル３ａが記憶されていて、システム制御部２は、文字列を画情報に変換する場合には、フォントテーブル３ａを参照する。
【００２７】
ＲＡＭ４は、前述したようにシステム制御部２の作業領域として使用されるランダムアクセスメモリである。なお、ＲＡＭ４は、図示しないバックアップ用回路によりバックアップされており、装置電源遮断時にも記憶内容は保持される。
【００２８】
スキャナ５は、３．８５本／ｍｍ、７．７本／ｍｍ、１５．４本／ｍｍ等の所定の読み取り線密度で原稿画像を読み取って画情報を得るためのものである。プロッタ６は、受信した画情報を、その線密度に応じて記録出力したり、スキャナ５で読み取った画情報を、その線密度に応じて記録出力（コピー動作）するためのものである。
【００２９】
画像メモリ７は、スキャナ５で読み取った画情報を、メモリ送信するために一時的にファイルとして蓄積したり、受信した画情報を、プロッタ６により記録するまでファイルとして一時的に蓄積したり、通信管理レポート等の各種レポートの画情報やワンタッチダイヤル登録リストや短縮ダイヤル登録リストの画情報をフォント展開して作成するための一時的な記憶領域としても使用される。
【００３０】
符号化復号化部８は、送信画像データを、Ｇ３ファクシミリに適合する、ＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長するものである。
【００３１】
操作表示部９は、相手先ファクシミリ番号を指定するためのテンキー、送信スタートキー、ワンタッチダイヤルキー、及び、その他各種キーが配設される一方、液晶表示装置等の表示器を備え、ユーザに知らせるべき装置の動作状態や、各種メッセージを表示するものである。
【００３２】
図２に、本実施の形態と直接関係する部分以外は、図示を省略した操作表示部９の配置構成例を示す。同図において、テンキー９ａは、送信相手先ファックス番号等を直接指定したり、短縮ダイヤルで指定したりするため等に用いられるものである。［スタート］キー９ｂは、ファクシミリ送信動作の開始や、コピー動作の開始を指示するためのものである。［ストップ］キー９ｃは、各種動作の強制的な停止を指示するためのものである。［Ｙｅｓ］キー９ｄ及び［Ｎｏ］キー９ｅは、ユーザに決定または取消の各種選択をさせるためのキーである。［ファンクション］キー９ｆは、ワンタッチダイヤルの登録機能、短縮ダイヤルの登録機能、ユーザパラメータの設定機能や、ファクシミリ装置１の標準的なファクシミリ装置としての機能以外の、時刻指定送信、部門コード指定送信等の拡張的な機能を呼び出すためのもので、この［ファンクション］キー９ｆを押下して、テンキー９ａにより、各機能に対応した番号を入力することで、各機能を呼び出して実行することができる。
【００３３】
［短縮］キー９ｇは、短縮ダイヤル機能のためのもので、［短縮］キー９ｇの押下操作と、テンキー９ａによる数桁（本実施の形態では０１から９９の２桁であるとする）の番号の入力操作の組合せで、短縮ダイヤルの登録番号を指定するためのものである。
【００３４】
ワンタッチキー群８ｈは、ワンタッチダイヤル機能のためのもので、番号「０１」ないし「３２」までの各番号にそれぞれ対応するキーにより構成され、いずれかのワンタッチキーの押下操作により、ワンタッチダイヤルの登録番号を指定するためのものである。
【００３５】
また、ワンタッチキー群８ｈは、ワンタッチダイヤルや短縮ダイヤルの登録の際に相手先名称文字列を入力する場合等の、装置が文字入力モードにあるときには、図３に示すように、番号「０１」ないし「３２」の各キーのうちの「０１」ないし「２６」はそれぞれアルファベットに対応し、番号「２７」のキーは、漢字変換機能に対応し、番号「２８」のキーは、無変換機能に対応し、番号「２９」のキーは、ひらがな変換機能に対応し、番号「３０」のキーは、スペース文字に対応し、番号「３１」は、記号入力機能に対応し、番号「３２」は、モード切換機能に対応している。ここで、漢字変換機能は、ローマ字入力された文字列を漢字に変換する機能であり、無変換機能は、入力された文字列を漢字に変換しないでそのまま受け入れる機能であり、ひながな変換は、ローマ字入力された文字列をひらがなに変換する機能であり、スペース文字は、文字通り、空白文字であり、記号入力機能は、記号をテンキー９ａにより文字コード指定により入力する機能であり、モード切換機能は、文字入力モード時に、表示器９ｊに表示される、ローマ字入力された文字列を、アルファベットのまま表示するか、カナ文字に変換して表示するかのモードを切り換える機能である。
【００３６】
図２に戻って、ファンクションキー群９ｉは、番号「Ｆ１」ないし「Ｆ４」の各番号にそれぞれ対応するキーにより構成され、いずれかのファンクションキーの押下操作により、対応して登録されている機能が実行されるものである。
【００３７】
表示器９ｊは、ユーザに知らせるべき装置の動作状態や、各種メッセージを表示するものである。
【００３８】
図１に戻って、通信制御部１０は、Ｇ３ファクシミリモデム機能を備え、網制御部１１を制御してＧ３ファクシミリ通信を行うもので、網制御部１１を介して公衆網に送信するデータを変調する一方、網制御部１１を介して公衆網から受信する信号を復調する。また、通信制御部１０は、宛先番号に対応したＤＴＭＦ信号の送出も行う。通信制御部１０は、システム制御部２からの送信命令があると、その送信命令と合わせてシステム制御部２から渡される宛先番号に発呼して、Ｇ３ファクシミリ送信処理を開始する。
【００３９】
網制御部１１は、公衆網に接続されて、通信制御部１０による制御により回線の直流ループの閉結・解放や、回線の極性反転の検出、回線解放の検出、発信音の検出、ビジートーン（話し中）等のトーン信号の検出、呼出信号の検出等の回線との接続制御や、ダイヤルパルスの生成を行うものである。システムバス１２は、上記各部がデータをやり取りするための信号ラインである。
【００４０】
以上のように構成されるファクシミリ装置１は、本発明に係る記憶内容として、図４に示すように、ＲＡＭ４に、ダイヤル登録テーブル、標準再発呼回数Ｃｓ、及び、制限再発呼回数Ｃｌのための記憶領域４ａ、４ｂ及び４ｃを確保している。
【００４１】
標準再発呼回数Ｃｓとしては、標準的な再発呼回数が予め設定され、制限再発呼回数Ｃｌとしては、標準再発呼回数Ｃｓよりも少ない回数が予め設定される。その設定は、ＲＯＭ３に予め標準再発呼回数Ｃｓ及び標準再発呼回数Ｃｓの既定値を記憶しておいて、ユーザによる設定操作が行われない場合には、その規定知をＲＡＭ４の各記憶領域に複写することで設定し、ユーザによる標準及び制限再発呼回数の設定操作が行われた場合は、その設定操作により入力された回数に書き換えることで設定する。
【００４２】
図５にダイヤル登録テーブル４ａの具体的な内容について示す。
【００４３】
同図において、ダイヤル登録テーブル４ａは、短縮ダイヤル登録テーブル、ワンタッチダイヤルダイヤル登録テーブル、マニュアルダイヤル登録テーブルの各部分テーブルが複合したテーブルとして構成されている。また、各部分テーブルの登録番号により特定される、各レコードは、相手先ファックス番号のフィールドと、相手先名称のフィールドと、相手先電話番号のフィールドとにより構成されている。
【００４４】
相手先ファックス番号のフィールドの内容は、相手先のファクシミリ装置に公衆網から割り当てられた加入者番号である。相手先名称のフィールドの内容は、相手先の名称の文字列で、送信操作時に表示器９ｊに表示して、ユーザによる送信宛先の確認を容易にするため等に使用されるものである。相手先電話番号のフィールドの内容は、相手先の電話機に公衆網から割り当てられた加入者番号である。
【００４５】
相手先ファックス番号及び相手先電話番号は、相手先のユーザからもらった名刺の併記されたファックス番号及び相手先番号を参照する等して後述する登録処理手順により登録される。
【００４６】
短縮ダイヤル登録テーブルは、登録番号「０１」ないし「９９」に対応した９９個のレコードにより構成されている。その登録は、後述する図６に示す短縮登録処理手順により行われる。
【００４７】
ワンタッチダイヤル登録テーブルは、登録番号「０１」ないし「３２」に対応した３２個のレコードにより構成されている。その登録は、後述する図６に示す短縮登録処理手順と同様の手順により、ダイヤル表示器９ｊを使用して、対話的に行われる。すなわち、登録するワンタッチキーを押下することで対応する登録番号を指定して、各フィールドの内容を入力することで登録される。
【００４８】
マニュアルダイヤル登録テーブルは、各登録番号に対応したレコードにより構成されている。その登録は、後述する図１０に示す送信制御手順において行われる。なお、マニュアルダイヤル登録テーブルでは、相手先名称及び相手先電話番号は登録されない。
【００４９】
次に、短縮ダイヤルの登録処理手順について、図６を参照して説明する。
【００５０】
同図において、システム制御部２は、ファンクションキー９ｆの押下を監視し（判断１０１のＮｏループ）、押下されると（判断１０１のＹｅｓ）、短縮ダイヤル利登録機能に対応する番号「３２」がテンキー９ａにより入力されるか、または、その他の番号が入力されるのを監視し（判断１０２のＮｏ、判断１０３のＮｏループ）、その他の番号が入力された場合には（判断１０３のＹｅｓ）、入力された番号に対応するその他の処理を行うが（処理４０４）、番号「３２」が入力された場合には（判断１０２のＹｅｓ）、表示器９ｊに、「登録する短縮番号を入力して下さい。」とのメッセージを表示し（処理１０５）、入力が完了するまで待つ（判断１０６のＮｏループ）。
【００５１】
そして、短縮番号のテンキー９ａによる入力が完了すると（判断１０６のＹｅｓ）、表示器９ｊに、「相手先ファックス番号を入力して下さい。」とのメッセージを表示し（処理１０７）、入力が完了するまで待ち（判断１０８のＮｏープ）、相手先ファックス番号のテンキー９ａによる入力が完了すると（判断１０８のＹｅｓ）、表示器９ｊに、「相手先名称を入力して下さい。」とのメッセージを表示し（処理１０９）、入力が完了するまで待ち（判断１１０のＮｏループ）、文字入力モードとなったワンタッチキー群９ｈによる相手先名称の入力が完了すると（判断１１０のＹｅｓ）、表示器９ｊに、「相手先電話番号を入力して下さい。」とのメッセージを表示し（処理１１１）、入力が完了するまで待ち（判断１１２のＮｏープ）、相手先電話番号のテンキー９ａによる入力が完了すると（判断１１２のＹｅｓ）、入力された相手先ファックス番号、相手先名称、及び、相手先電話番号を、判断１０６で入力された短縮番号に対応する、ダイヤル登録テーブル４ａ中の短縮ダイヤル登録テーブルのレコードの各フィールドに対応付けて登録する（処理１１３）。
【００５２】
ワンタッチダイヤルの登録処理も、図６の短縮ダイヤル登録処理手順における処理１０２でワンタッチダイヤル登録機能に対応する所定の番号（例えば「３３」）の入力を監視する一方、処理１０５で、「登録するワンタッチキーを押して下さい。」とのメッセージを表示して、登録するワンタッチキーに対応する登録番号を指定させることで、短縮ダイヤル登録の場合と同様に行うことができる。
【００５３】
次に、ファクシミリ装置１における送信制御手順について図７、図８，図９及び図１０を参照して説明する。
【００５４】
それらの図において、システム制御部２は、スキャナ５に原稿がセットされるのを監視していて（判断２０１のＮｏループ）、原稿がセットされると（判断２０１、表示器９ｊに、「宛先を指定して下さい。」とのメッセージを表示して（処理２０２）、［短縮］キー９ｇが押下されるか、ワンタッチキー群９ｈのうちのいずれかのキーが押下されるか、または、テンキー９ａによるマニュアルダイヤルの入力があるかを監視する（判断２０３のＮｏ、判断２０４のＮｏ、判断２０５のＮｏループ）。
【００５５】
そして、ワンタッチキー９ｈが押下された場合（判断２０４のＹｅｓ）、または、［短縮］キー９ｇが押下されると共に、短縮番号がテンキー９ａにより入力された場合は（判断２０６のＹｅｓ）、押下されたワンタッチキーに対応する登録番号、または、指定された短縮キーの押下に続いて入力された番号に対応する登録番号に対応する相手先ファックス番号を、ダイヤル登録テーブルの短縮対応する登録テーブルまたはワンタッチダイヤル登録テーブルから読み出す（処理２０７）。
【００５６】
そして、送信開始を指示する、［スタート］キー９ｂが押下されるのを監視し（判断２０８のＮｏループ）、［スタート］キー９ｂが押下されると（判断２０８のＹｅｓ）、標準際発呼回数ＣｓをＲＡＭ４の記憶領域４ｂから読み出して、再発呼設定値Ｐに代入すると共に（処理２０９）、処理２０７で読み出した相手先ファックス番号をそのまま宛先番号として（処理２１０）、図１０の処理５０１に移行する。
【００５７】
判断２０５でテンキー９ａによるマニュアルダイヤルの入力があった場合は（判断２０５のＹｅｓ）、図８の判断３０１に移行する。
【００５８】
図８の判断３０１では、送信開始を指示する、［スタート］キー９ｂが押下されるのを監視し（判断３０１のＮｏループ）、［スタート］キー９ｂが押下されると（判断３０１のＹｅｓ）、判断２０５でテンキー９ａにより直接入力された相手先番号がダイヤル登録テーブル４ａ中の短縮またはワンタッチダイヤル登録テーブルに相手先ファックス番号として登録されているか、すなわち、テンキー９ａにより入力された相手先番号が、相手先のファクシミリ装置が公衆網から割り当てられた加入者番号であることが確実であるかを確認する（処理３０３）。
【００５９】
短縮ダイヤルやワンタッチダイヤルは、頻繁にファクシミリ通信を行う相手先のファックス番号が登録されるため、登録されている相手先ファックス番号が、相手先のファクシミリ装置が公衆網から割り当てられた加入者番号ではないようなことはほとんどあり得ないため、テンキー９ａにより直接入力された相手先番号が、短縮ダイヤルやワンタッチダイヤルに相手先ファックス番号として登録されていれば、それは、確実に相手先ファクシミリ装置に割り当てられた加入者番号であるといえる。
【００６０】
処理３０２で確認した結果、登録されている場合は（判断３０３のＹｅｓ）、標準再発呼回数ＣｓをＲＡＭ４の記憶領域４ｂから読み出して、再発呼設定値Ｐに代入すると共に（処理３０６）、判断２０５でテンキー入力された相手先番号をそのまま宛先番号として（処理３０７）、図１０の処理５０１に移行する。
【００６１】
処理３０２で確認した結果、登録されていない場合は（判断３０３のＮｏ）、更に、判断２０５でテンキー９ａにより直接入力された相手先番号がダイヤル登録テーブル４ａ中のマニュアルダイヤル登録テーブルに相手先ファックス番号として登録されているか、すなわち、テンキー９ａにより入力された相手先番号が、短縮ダイヤル登録テーブルやワンタッチダイヤル登録テーブルに相手先ファックス番号として登録されてはいないが、過去に宛先番号として発呼してファクシミリ通信を試みた結果、ファクシミリ通信を正常に行えて、後述する処理によりマニュアルダイヤル登録テーブルに相手先ファックス番号として登録された、相手先のファクシミリ装置が公衆網から割り当てられた加入者番号であることが確実であるかを確認する（処理３０４）。
【００６２】
処理３０４で確認した結果、登録されている場合は（判断３０５のＹｅｓ）、標準再発呼回数ＣｓをＲＡＭ４の記憶領域４ｂから読み出して、再発呼設定値Ｐに代入すると共に（処理３０６）、判断２０５でテンキー入力された相手先番号をそのまま宛先番号として（処理３０７）、図１０の処理５０１に移行する。
【００６３】
処理３０４で確認した結果、登録されていない場合は（判断３０５のＮｏ）、図９の処理４０１に移行する。
【００６４】
図９の処理４０１では、判断２０５でテンキー９ａにより直接入力された相手先番号がダイヤル登録テーブル４ａ中の短縮ダイヤル登録テーブルまたはワンタッチダイヤル登録テーブルに相手先電話番号番号として登録されているか、すなわち、テンキー９ａにより入力された相手先番号が、相手先のユーザからもらった、相手先ファックス番号と相手先電話番号とが併記された名刺を見誤って誤入力される等して、短縮ダイヤル登録テーブルやワンタッチダイヤル登録テーブルに登録されている相手先ファックス番号に対応して登録された相手先電話番号であるかを確認する。
【００６５】
処理４０１で確認した結果、相手先電話番号として登録されている場合には（判断４０２のＹｅｓ）、標準再発呼回数ＣｓをＲＡＭ４の記憶領域４ｂから読み出して、再発呼設定値Ｐに代入すると共に（処理４０３）、処理４０１で登録を確認した相手先電話番号に対応して登録されている相手先ファックス番号を宛先番号として（処理４０４）、図１０の処理５０１に移行する。
【００６６】
処理４０１で確認した結果、相手先電話番号として登録されていない場合には（判断４０２のＮｏ）、制限再発呼回数ＣｌをＲＡＭ４の記憶領域４ｃから読み出して、再発呼設定値Ｐに代入すると共に（処理４０５）、判断２０５でテンキー入力された相手先番号をそのまま宛先番号として（処理４０６）、図１０の処理５０１に移行する。
【００６７】
このようにして、判断２０５でテンキー入力された相手先番号が、ダイヤル登録テーブル４ａの短縮、ワンタッチ及びマニュアルダイヤル登録テーブルに相手先ファックス番号として未登録で、かつ、短縮及びワンタッチダイヤル登録テーブルに相手先電話番号として未登録の場合には、テンキー入力された相手先番号が、確実に、相手先のファクシミリ装置が公衆網から割り当てられた加入者番号、または、当該相手先ファクシミリ装置の加入者番号に対応する相手先電話機の加入者番号であるとは断定できず、相手先が電話機である可能性が否定できないため、再発呼設定値Ｐを、標準再発呼回数Ｃｓよりも少ない、制限再発呼回数Ｃｌに設定して、発呼した相手先が実際に電話機であった場合に、間違い再発呼が多数回繰り返されてしまって相手先のユーザに迷惑をかけてしまうこがないようにすることを優先する。
【００６８】
一方、判断２０５でテンキー入力された相手先番号が、ダイヤル登録テーブル４ａの短縮、ワンタッチまたはマニュアルダイヤル登録テーブルに相手先ファックス番号として登録されているか、または、短縮またはワンタッチダイヤル登録テーブルに相手先電話番号として登録されている場合には、テンキー入力された相手先番号が、確実に、相手先のファクシミリ装置が公衆網から割り当てられた加入者番号、または、当該相手先ファクシミリ装置の加入者番号に対応する相手先電話機の加入者番号であると断定できるため、相手先が電話機である可能性はなく、再発呼設定値Ｐを、標準再発呼回数Ｃｓに設定して、ファクシミリ装置への再発呼を多数回繰り返して、できるだけファクシミリ通信が成功するようにする、再発呼を多数回繰り返すことの利点を優先する。
【００６９】
さて、図１０の処理５０１では、判断２０１でスキャナ５にセットされた原稿の画情報をスキャナ５で読み取って、画像メモリ７に蓄積する。そして、システム制御部２は、再発呼回数カウンタＣに再発呼設定値Ｐを代入すると共に（処理５０２）、処理２１０、処理３０７、処理４０４、または、処理４０６で確定した宛先番号を通信制御部１０に渡して送信命令を発行する（処理５０３）。
【００７０】
一方、通信制御部１０は、図１１に示す送信処理手順を実行する。
【００７１】
図１１において、通信制御部１０は、システム制御部２からの送信命令があるかを監視し（判断６０１のＮｏループ）、図１０の処理５０３に対応して送信命令があると（判断６０１のＹｅｓ）、送信命令に併せて渡された宛先番号に発呼し（処理６０２）、図１０の処理５０１で画像メモリに蓄積された、当該宛先番号宛の画像を、Ｇ３ファクシミリプロトコルに基づく制御信号を相手先装置との間でやりとりしつファクシミリメッセージとして送信する、ファクシミリ送信処理を行う（処理６０３）。
【００７２】
処理６０３のファクシミリ送信処理は、発呼した宛先番号に対応する相手先装置が、ファクシミリ装置１とファクシミリ通信が可能なＧ３ファクシミリ装置であれば、その相手先のファクシミリ装置が通信中でなく、受信機能が正常であれば、正常に終了することになる。
【００７３】
一方、発呼した宛先番号に対応する相手先装置が、Ｇ３ファクシミリ装置であっても、通信中であったり、用紙切れ等のために受信機能が異常であると、処理６０３のファクシミリ送信処理は、正常には終了しないことになる。しかし、その場合、再発呼を繰り返せば、通信中であった相手先のＧ３ファクシミリ装置の通信が終了して応答可能となり、用紙切れ等に起因する受信機能の異常も復旧して応答可能となる場合もある。
【００７４】
しかし、発呼した宛先番号に対応する相手先装置が電話機であれば、相手先のユーザが電話機のハンドセットをオフフックすることで応答しても、ファクシミリ装置１が送出する発呼トーンＣＮＧに対して被呼局識別信号ＣＥＤを返送してくることはなく、Ｇ３ファクシミリプロトコルがそれから先に進まず、処理６０３のファクシミリ送信処理は、何回再発呼しても正常には終了しないことになる。
【００７５】
さて、処理６０３でファクシミリ送信処理を行った後に、処理６０３のファクシミリ送信処理が正常に終了したか否かを判断し（判断６０４）、正常に終了した場合には（判断６０４のＹｅｓ）、システム制御部２に、「ＯＫ」を通知する一方（処理６０５）、正常に終了しなかった場合には（判断６０４のＮｏ）、システム制御部２に、「ＮＧ」を通知する（処理６０６）
【００７６】
一方、システム制御部２は、図１０の処理５０３で宛先番号を通信制御部１０に渡して送信命令を発行した後、通信制御部１０から「ＯＫ」または「ＮＧ」の通知があるかを監視し（判断５０４のＮｏ、判断５０５のＮｏループ）、「ＮＧ」の通知があった場合（判断５０５のＹｅｓ）、すなわち、処理５０３で発行した送信命令により通信制御部１０が行ったファクシミリ送信処理が失敗に終わった場合には、再発呼回数カウンタＣをデクリメントして（処理５０６）、再発呼回数カウンタＣが０になったか、すなわち、発呼及び再発呼の回数が再発呼設定値Ｐに達したかを判断し（判断５０７）、達した場合には（判断５０７のＹｅｓ）、送信エラーレポートをプロッタ６により記録出力する（処理５０８）。達していない場合には（判断５０７のＮｏ）、処理５０３に戻り、通信制御部１０に再度送信命令を発呼して、同一宛先番号へ再発呼させてファクシミリ送信を再度試みらせる。
【００７７】
なお、処理５０８の送信エラーレポートの出力は、短縮、ワンタッチ及びマニュアルダイヤル登録テーブルに未登録の新規の宛先番号へ発呼する場合には、標準再発呼回数Ｃｓよりも少ない制限再発呼回数Ｃｌ分の発呼及び再発呼の後に行われるため、対応する相手先装置が電話機であるおそれがある、新規の宛先番号に発呼する場合には、宛先番号の誤入力のために送信結果が「ＮＧ」となった可能性があることをユーザにいち早く知らせることができる。
【００７８】
判断５０４で「ＯＫ」の通知があった場合、すなわち、発呼及び再発呼の回数が再発呼設定値に達する前にファクシミリ送信が成功した場合には（判断５０４のＹｅｓ）、再発呼設定値Ｐが、制限再発呼回数Ｃｌと等しいか、すなわち、宛先番号が、テンキー９ａにより直接入力されたものであり、かつ、短縮、ワンタッチ、及び、マニュアルダイヤルのずれにも、相手先ファックス番号または相手先電話番号として登録されていなかったものである場合には（判断５０９のＹｅｓ）、宛先番号をダイヤル登録テーブル４ａのマニュアルダイヤル登録テーブルに、通信可能な相手先ファックス番号として登録する（処理５１０）。既に登録されていたものである場合には（判断５０９のＮｏ）、何もしないで処理を終了する。
【００７９】
これにより、短縮及びワンタッチダイヤル登録テーブルに未登録の宛先番号で、対応する相手先装置が確実にファクシミリ装置であるとは断定できなかった場合でも、実際に通信を行ってみて正常に通信を行え、対応する相手先装置が確実にファクシミリ装置であると判明した場合には、それ以後に当該宛先番号が再度された際に再発呼設定値Ｐとして標準再発呼回数Ｃｓが設定され、再発呼回数が制限されることがない。
【００８０】
なお、以上説明した実施の形態においては、本発明をＧ３ファクシミリ装置にに適用したが、本発明は、それに限らず、その他のファクシミリプロトコルに従うファクシミリ装置に対しても同様に適用可能なものであり、ファクシミリ装置以外の、非電話機の各種通信端末装置に対しても同様に適用可能なものである。
【００８１】
【発明の効果】
請求項１に係る発明によれば、テンキーにより相手先番号が直接入力された場合に当該相手先番号と一致する相手先ファックス番号が前記登録ダイヤル登録テーブルに登録されていない新規の宛先番号である場合には、再発呼回数が所定の標準再発呼回数よりも少ない制限再発呼回数に設定される一方、新規の宛先番号でない場合には、再発呼回数が前記標準再発呼回数に設定される。そして、宛先番号に最初に発呼して行った通信が成功しなかった場合は、設定された再発呼回数を限度として通信が成功するまで当該宛先番号に再発呼して通信が試みられる。したがって、テンキーにより直接入力された相手先番号が、前記登録ダイヤル登録テーブルに相手先ファックス番号として登録済みの、相手先ファックス番号として正しく指定されたものである場合には、再発呼は最大前記標準再発呼回数だけ繰り返され、相手先ファックス番号が宛先番号として正しく指定された場合における再発呼を繰り返すことの利点は維持される一方、テンキーにより直接入力された相手先番号が、前記登録ダイヤル登録テーブルに相手先ファックス番号として未登録の、相手先ファックス番号として正しく指定されたものではないおそれがある場合には、再発呼は最大前記標準再発呼回数よりも少ない前記制限再発呼回数だけしか繰り返されず、相手先ファックス番号がテンキーにより直接入力される場合に生じがちな入力ミスに起因して相手先電話番号が誤って宛先番号として指定された場合における再発呼の繰り返しにより相手先に与える迷惑の度合いを低減することが可能となる効果が得られる。
【００８２】
請求項２に係る発明によれば、テンキーにより相手先番号が直接入力された場合に当該相手先番号と一致する相手先ファックス番号が前記登録ダイヤル登録テーブルまたは前記マニュアルダイヤル登録テーブルに登録されていない新規の宛先番号である場合には、再発呼回数が所定の標準再発呼回数よりも少ない制限再発呼回数に設定される一方、新規の宛先番号でない場合には、再発呼回数が前記標準再発呼回数に設定される。そして、宛先番号に最初に発呼して行った通信が成功しなかった場合は、設定された再発呼回数を限度として通信が成功するまで当該宛先番号に再発呼して通信が試みられる。したがって、テンキーにより直接入力された相手先番号が、前記登録ダイヤル登録テーブルまたはマニュアルダイヤル登録テーブルに相手先ファックス番号として登録済みの、相手先ファックス番号として正しく指定されたものである場合には、再発呼は最大前記標準再発呼回数だけ繰り返され、相手先ファックス番号が宛先番号として正しく指定された場合における再発呼を繰り返すことの利点は維持される一方、テンキーにより直接入力された相手先番号が、前記登録ダイヤル登録テーブルまたはマニュアルダイヤル登録テーブルに相手先ファックス番号として未登録の、相手先ファックス番号として正しく指定されたものではないおそれがある場合には、再発呼は最大前記標準再発呼回数よりも少ない前記制限再発呼回数だけしか繰り返されず、相手先ファックス番号がテンキーにより直接入力される場合に生じがちな入力ミスに起因して相手先電話番号が誤って宛先番号として指定された場合における再発呼の繰り返しにより相手先に与える迷惑の度合いを低減することが可能となる効果が得られる。そして、前記テンキーにより直接入力され前記新規宛先判定手段により新規の宛先番号であると判定された宛先番号に最初に発呼して行われた通信が成功した場合、または、前記再発呼回数設定手段により設定された再発呼回数の範囲内の再発呼で通信が成功した場合は、当該宛先番号が、通信可能な相手先ファックス番号として前記マニュアルダイヤル登録テーブルに登録されるため、前記テンキーにより直接入力された相手先番号であって前記登録ダイヤル登録テーブルに相手先ファックス番号として未登録のものであっても、宛先番号として発呼して通信を行った結果、通信を正常に行えた、実績のある宛先番号については、再発呼回数が前記標準再発呼回数に設定され、相手先ファックス番号が宛先番号として正しく指定された場合における再発呼を繰り返すことの利点を享受することができる効果が得られる。
【００８３】
請求項３に係る発明によれば、請求項１に係る発明と同様の効果に加えて、前記テンキーにより直接入力された相手先番号が、前記登録ダイヤル登録テーブルに相手先電話番号として登録済みの場合は、当該相手先電話番号に対応して登録されている相手先ファックス番号を、テンキーにより直接入力された相手先番号に代えて宛先番号とするため、名刺に併記された相手先ファックス番号と相手先電話番号とを見間違えて相手先電話番号がテンキーにより入力されてしまった場合でも、正しい相手先ファックス番号を宛先番号として発呼することが可能となる効果が得られる。また、前記テンキーにより直接入力された相手先番号が、前記登録ダイヤル登録テーブルに相手先電話番号として登録済みの場合は、当該テンキーにより直接入力された相手先番号が、実質的に前記登録ダイヤル登録テーブルに相手先ファックス番号として登録済みの、相手先ファックス番号として正しく指定されたものであるとみなされて、再発呼は最大前記標準再発呼回数だけ繰り返される。したがって、相手先ファックス番号が宛先番号として正しく指定された場合における再発呼を繰り返すことの利点を享受することができる効果が得られる。
【００８４】
請求項４に係る発明によれば、請求項２に係る発明と同様の効果に加えて、前記テンキーにより直接入力された相手先番号が、前記登録ダイヤル登録テーブルに相手先電話番号として登録済みの場合は、当該相手先電話番号に対応して登録されている相手先ファックス番号を、テンキーにより直接入力された相手先番号に代えて宛先番号とするため、名刺に併記された相手先ファックス番号と相手先電話番号とを見間違えて相手先電話番号がテンキーにより入力されてしまった場合でも、正しい相手先ファックス番号を宛先番号として発呼することが可能となる効果が得られる。また、前記テンキーにより直接入力された相手先番号が、前記登録ダイヤル登録テーブルに相手先電話番号として登録済みの場合は、当該テンキーにより直接入力された相手先番号が、実質的に前記登録ダイヤル登録テーブルに相手先ファックス番号として登録済みの、相手先ファックス番号として正しく指定されたものであるとみなされて、再発呼は最大前記標準再発呼回数だけ繰り返される。したがって、相手先ファックス番号が宛先番号として正しく指定された場合における再発呼を繰り返すことの利点を享受することができる効果が得られる。
【図面の簡単な説明】
【図１】本発明の実施の形態に係るファクシミリ装置のブロック構成を示す図である。
【図２】本発明の実施の形態に係るファクシミリ装置の操作表示部の、本実施の形態と直接関係する部分以外は図示を省略した配置構成例を示す図である。
【図３】ワンタッチキー群の文字入力モードにおける読み替えについて示す図である。
【図４】本発明の実施の形態に係るファクシミリ装置においてＲＡＭに記憶される内容について示す図である。
【図５】本発明の実施の形態に係るファクシミリ装置のＲＡＭに記憶されるダイヤル登録テーブルの具体的な登録内容について示す図である。
【図６】本発明の実施の形態に係るファクシミリ装置における短縮ダイヤル登録処理手順について示すフローチャートである。
【図７】本発明の実施の形態に係るファクシミリ装置のシステム制御部が行う送信制御手順について示すフローチャートである。
【図８】図７と共に、本発明の実施の形態に係るファクシミリ装置のシステム制御部が行う送信制御手順について示すフローチャートである。
【図９】図７及び図８と共に、本発明の実施の形態に係るファクシミリ装置のシステム制御部が行う送信制御手順について示すフローチャートである。
【図１０】図７、図８及び図９と共に、本発明の実施の形態に係るファクシミリ装置のシステム制御部が行う送信制御手順について示すフローチャートである。
【図１１】本発明の実施の形態に係るファクシミリ装置の通信制御部が行う送信処理手順について示すフローチャートである。
【符号の説明】
１  ファクシミリ装置
２  システム制御部
３  ＲＯＭ
３ａ  フォントテーブル
４  ＲＡＭ
４ａ  ダイヤル登録テーブルのための記憶領域
４ｂ  標準再発呼回数のための記憶領域
４ｃ  制限再発呼回数のための記憶領域
５  スキャナ
６  プロッタ
７  画像メモリ
８  符号化復号化部
９  操作表示部
９ａ  テンキー
９ｂ  ［スタート］キー
９ｃ  ［ストップ］キー
９ｄ  ［Ｙｅｓ］キー
９ｅ  ［Ｎｏ］キー
９ｆ  ［ファンクション］キー
９ｇ  ［短縮］キー
９ｈ  ワンタッチキー群
９i  ファンクションキー群
９ｊ  表示器
１０  通信制御部
１１  網制御部
１２  システムバス
【図１】
0003691248.tif 000002
【図２】
0003691248.tif 000003
【図３】
0003691248.tif 000004
【図４】
0003691248.tif 000005
【図５】
0003691248.tif 000006
【図６】
0003691248.tif 000007
【図７】
0003691248.tif 000008
【図８】
0003691248.tif 000009
【図９】
0003691248.tif 000010
【図１０】
0003691248.tif 000011
【図１１】
0003691248.tif 000012